(57)【要約】      （修正有）【課題】冬季の曇天や低温の気候においては、魚の活動度が鈍ったり、水中における生き餌の目立ち具合が低下して、釣果が思わしくない場合に、釣果を改善せしめる生き餌を提供する。【解決手段】通常白色であるサシを、黒色色素で体外から染める、黒色色素で染めてなる餌で養殖し体内から黒色色素で染める、あるいはイカスミを含んでなる黒色色素で染めて着色し、生き餌として使用する。【選択図】なし【特許請求の範囲】
【請求項１】
黒色色素で体外から染めてなるサシ。
【請求項２】
黒色色素で染めてなる餌で養殖した黒色色素で体内から染めてなるサシ。
【請求項３】
黒色色素が、イカスミを含んでなるものであることを特徴とする請求項１又は２に記載したサシ。
【発明の詳細な説明】
【技術分野】
【０００１】
本出願に係る発明は、釣り餌として極めて好適に使用することができるサシに関する。
【背景技術】
【０００２】
従来、釣り餌としては、ハエの幼虫（ウジ虫）であるサシが好適に使用されてきた。
サシは、鯖や兎便中で養殖したキンバエのウジ虫が好適に使用されてきた。
サシは、通常、白色であるが、釣果を改善せしめるために、食紅で着色した所謂「赤サシ」又は「紅サシ」も使用されてきた。
【０００３】
［非特許文献１〜「釣り餌の虫たち（昆虫学にならない虫の話）」］
非特許文献１（「釣り餌の虫たち（昆虫学にならない虫の話）」〜ＵＲＬ；http://www9.wind.ne.jp/matu-ko/turiesa/turiesa.htm）
特開平１０−２７６６２６号公報には、釣り竿の穂先部を、ステンレス鋼、又は、リン青銅製の板体で形成し、先端方向に向けて徐々に幅細であると共に、部材の表裏両面を先端方向に向かって徐々に薄く形成し、穂先部の基部厚みに対して先端厚みを５分の１〜３０の１の範囲に形成したことを特徴とする技術が開示されている。
従来の技術における釣り竿の穂先は、竹を穂先状に切削加工したり、ソリッドなグラスファイバーを切削加工したものが一般的であるが、復元性や嫋（たお）やかさに難があるために、使用時におけるアタリがとりにくく、製品そのものの小型化も困難であった。
特開平１０−２７６６２６号公報に開示されている釣り竿の穂先部は、このような従来の技術における問題点を解消し、小型化を実現し、初心者であってもアタリを極めてとり易く、携帯性も発揮するものであった。
【先行技術文献】
【非特許文献】
【０００４】
【非特許文献１】「釣り餌の虫たち（昆虫学にならない虫の話）                （ＵＲＬ；http://www9.wind.ne.jp/matu-ko/turiesa/turiesa.htm）
【０００５】
［従来の技術における問題点］
「サシ」、「赤サシ」、「紅サシ」、「黒ラビット」は、伝統的に使用されてきた釣り用の生き餌である。
ワカサギ釣りを例に挙げると、冬季の曇天や低温の気候においては、魚の活動度が鈍ったり、水中における生き餌の目立ち具合が低下し、釣果が思わしくないことがある。
【発明の概要】
【発明が解決しようとする課題】
【０００６】
本願発明は、上記した従来の技術における問題点に鑑み、多くの試行錯誤の過程で多くの鋭意検討を行ないつつ、研究開発を推進した結果、本願発明の完成に到達した。
本願発明が解決しようとする課題を以下に挙げる。
【０００７】
［発明が解決しようとする課題］
例えば、冬季の曇天や低温の気候においては、魚の活動度が鈍ったり、水中における生き餌の目立ち具合が低下して、釣果が思わしくない場合に、釣果を改善せしめる生き餌を提供することである。
【発明の効果】
【０００８】
例えば、冬季の曇天や低温の気候においては、魚の活動度が鈍ったり、水中における生き餌の目立ち具合が低下している際に、伝統的な生き餌（「サシ」、「赤サシ」、「紅サシ」、「黒ラビット」等）を使用していて、釣果が思わしくない場合に、本願発明に係るサシを使用することにより、顕著に釣果を改善せしめることができる。
【課題を解決するための手段】
【０００９】
本出願に係る発明は、以下の「特許請求の範囲」における「請求項１」乃至「請求項３」に記載した事項により特定される。
［特許請求の範囲］
［請求項１］
黒色色素で体外から染めてなるサシ。
［請求項２］
黒色色素で染めてなる餌で養殖した黒色色素で体内から染めてなるサシ。
［請求項３］
黒色色素が、イカスミを含んでなるものであることを特徴とする請求項１又は２に記載したサシ。
【００１０】
［用語「サシ」の有する意味］
本出願の明細書、特許請求の範囲、及び、図面において用いる「サシ」なる用語の意味は、釣り餌として使用するハエの幼虫（ウジ虫）を意味する。
一般的には、鯖や兎便中で養殖したキンバエのウジ虫が使用される。
【００１１】
［用語「赤サシ」の有する意味］
本出願の明細書、特許請求の範囲、及び、図面において用いる「赤サシ」なる用語の意味は、食紅で赤く染めたサシを意味する。
「赤サシ」は、「紅サシ」ともいう。
一般的には、食紅としては、食品添加物の赤色５号が広く使用されているが、アナトー色素、パプリカ色素、紅花色素、紅麹色素、フラボノイド色素、コチニール色素、
アマランス（赤色２号）、エリスロシン（赤色３号）、アルラレッドＡＣ（赤色４０号）、ニューコクシン（赤色１０２号）、フロキシン（赤色１０４号）、ローズベンガル（赤色１０５号）、アシッドレッド（赤色１０６号）等も使用し得る。
【００１２】
［用語「黒ラビット」の有する意味］
釣り餌としては、「黒ラビット」と称する生き餌があるが、「黒ラビット」とは、チャバネトゲハネバエの幼虫を意味する。兎糞によく発生するために、この名前が付いたといわれているが、鶏糞にもよく発生する。
但し、非特許文献１に掲載されている写真からも明らかなように、「黒ラビット」と称しても、実際には、決して黒色ではなく、淡い褐色を呈している。
【００１３】
［用語「イカスミ」の有する意味］
本出願の明細書、特許請求の範囲、及び、図面において用いる「イカスミ」なる用語の意味は、イタリア料理などで使用されているイカ墨由来の黒色色素を意味する。
イカスミは、食材として使用されており、釣り餌に適用しても、つり上げた魚を食する際に、障害となりにくい。
イカ墨の中には、ムコ多糖類が含まれており、例えば、衣類等に付着すると、脱色することが困難である。
イカスミは、イタリア料理等の食材として、ペーストや、粉末で、容易に入手することができる。
【実施例１】
【００１４】
市販のイカスミ粉末（株式会社ヘルシーベスト、ＵＲＬ；http://www.rakuten.co.jp/healthybest/1808378/1808605/）１０ｇを、５００ｍｌの温水（４０℃）に溶解して、イカスミ色素溶液を調製した。
ステンレスバット上に脱脂綿を敷き詰め、脱脂面にイカスミ色素溶液を浸した。
市販の体長５〜６ｍｍ程度のサシを、イカスミ溶液で浸された脱脂面上で、１２時間飼育した。
１２時間飼育後、サシは、生きたまま、真っ黒に染め上がった。
【実施例２】
【００１５】
市販のイカスミ粉末（株式会社ヘルシーベスト、ＵＲＬ；http://www.rakuten.co.jp/healthybest/1808378/1808605/）を、腐敗させた鯖の開きに撒いた。
イカスミ粉末を撒いた腐敗した鯖の開き上で、キンバエの卵からサシを孵化させて、そのまま、体長５〜６ｍｍ程度まで飼育した。
【００１６】
１１月の午前７時から午前１１時の４時間で、諏訪湖上のドーム船にて、実施した野外テストの結果を示す。
当日は、曇天で、気温３〜８℃であった。
［表１］
━━━━━━━━━━━━━━━━━━━━━━━━━━━━━━━━━━━━━━━━
実施例１    実施例２    実施例３        実施例４      実施例５
黒色サシ    黒色サシ    未処理白色      赤サシ        黒ラビット
サシ（市販品）（市販品）      （市販品）
━━━━━━━━━━━━━━━━━━━━━━━━━━━━━━━━━━━━━━━━
釣果  ２３１尾    ２５１尾    １０５尾        １５３尾      １６４尾
━━━━━━━━━━━━━━━━━━━━━━━━━━━━━━━━━━━━━━━━
【００１７】
表１の結果から明らかなように、本願発明に係るサシを使用した場合、釣果が顕著に向上した。